【手続補正書】
【提出日】平成18年7月21日(2006.7.21)
【手続補正１】
【補正対象書類名】明細書
【補正対象項目名】特許請求の範囲
【補正方法】変更
【補正の内容】
【特許請求の範囲】  
【請求項１】
保護基板厚ｔ１の第１光情報記録媒体に対して、波長λ１の第１光源から出射される光束を用いて情報の再生及び／又は記録を行ない、保護基板厚ｔ２（ｔ１≦ｔ２）の第２光情報記録媒体に対して、波長λ２（λ１＜λ２）の第２光源から出射される光束を用いて情報の再生及び／又は記録を行ない、保護基板厚ｔ３（ｔ２＜ｔ３）の第３光情報記録媒体に対して、波長λ３（λ２＜λ３）の第３光源から出射される光束を用いて情報の再生及び／又は記録を行う光ピックアップ装置であって、
前記光ピックアップ装置は、前記第１光源、前記第２光源及び前記第３光源の共通光路に配置され、第１回折構造を有する回折光学素子を備え、
前記第１光情報記録媒体、前記第２光情報記録媒体及び前記第３光情報記録媒体に対して情報の再生及び／又は記録を行う場合、前記光ピックアップ装置に含まれる前記回折光学素子に全ての前記光束をほぼ同じ角度で入射させ、
前記第１光情報記録媒体に対して前記回折光学素子によって生じるｍ（ｍは自然数）次の回折光による集光スポットが形成され、前記第２光情報記録媒体に対して前記回折光学素子によって生じるｎ（ｎはｎ≠ｍである自然数）次の回折光による集光スポットが形成されるように構成されることを特徴とする光ピックアップ装置。
【請求項２】
前記回折光学素子は、対物光学素子であることを特徴とする請求項１に記載の光ピックアップ装置。
【請求項３】  
前記回折光学素子に全ての前記光束をほぼ無限平行光として入射させることを特徴とする請求項２に記載の光ピックアップ装置。
【請求項４】
前記回折光学素子は、前記波長λ１の光束が入射した場合にコリメータとして機能することを特徴とする請求項１〜３のいずれか一項に記載の光ピックアップ装置。
【請求項５】
前記回折光学素子は、前記波長λ２の光束が入射した場合にコリメータとして機能することを特徴とする請求項１〜３のいずれか一項に記載の光ピックアップ装置。
【請求項６】
前記回折光学素子は、光ピックアップ装置を構成する対物光学素子及びコリメータとは別に設けられた光学素子であることを特徴とする請求項１に記載の光ピックアップ装置。
【請求項７】
保護基板厚ｔ１の第１光情報記録媒体に対して、波長λ１の第１光源から出射される光束を用いて情報の再生及び／又は記録を行ない、保護基板厚ｔ２（ｔ１≦ｔ２）の第２光情報記録媒体に対して、波長λ２（λ１＜λ２）の第２光源から出射される光束を用いて情報の再生及び／又は記録を行ない、保護基板厚ｔ３（ｔ２＜ｔ３）の第３光情報記録媒体に対して、波長λ３（λ２＜λ３）の第３光源から出射される光束を用いて情報の再生及び／又は記録を行う光ピックアップ装置であって、
前記光ピックアップ装置は、前記第１光源、前記第２光源及び前記第３光源の共通光路に配置される第１互換光学素子と、前記第１光源、前記第２光源及び前記第３光源のうちのある１つの光源のみの光路か、又はある２つの光源の共通光路に配置される第２互換光学素子とを備え、
前記第１互換光学素子は、前記第１光情報記録媒体、前記第２光情報記録媒体及び前記第３光情報記録媒体のうちの、少なくとも１つの光情報記録媒体に対して、情報の再生及び／又は記録に必要な集光スポットを形成する第１互換機能を有し、
前記第２互換光学素子は、前記第１互換光学素子と組み合わされる事により、前記第１光情報記録媒体、前記第２光情報記録媒体及び前記第３光情報記録媒体のうちの、他の光情報記録媒体に対して、情報の再生及び／又は記録に必要な集光スポットを形成する第２互換機能を有し、
かつ、前記光ピックアップ装置は、前記第１光源、前記第２光源及び前記第３光源の共通光路に配置され、第１回折構造を有する回折光学素子を備え、
前記第１互換光学素子、第２互換光学素子及び回折光学素子のうちの少なくとも一つの光学素子の少なくとも一つの光学面に、光軸を中心とした複数の輪帯状光学面が形成され、前記複数の輪帯状光学面は段差面を介して連続的に形成され、
前記第１光情報記録媒体に対して前記回折光学素子によって生じるｍ（ｍは自然数）次の回折光による集光スポットが形成され、前記第２光情報記録媒体に対して前記回折光学素子によって生じるｎ（ｎはｎ≠ｍである自然数）次の回折光による集光スポットが形成されるように構成されることを特徴とする光ピックアップ装置。
【請求項８】
前記第１互換光学素子は対物光学素子であることを特徴とする請求項７に記載の光ピックアップ装置。
【請求項９】
前記第２互換光学素子は位相差板であることを特徴とする請求項７又は８に記載の光ピックアップ装置。
【請求項１０】
前記第２互換光学素子は液晶素子であることを特徴とする請求項７又は８に記載の光ピックアップ装置。
【請求項１１】
前記第２互換光学素子は回折光学素子であることを特徴とする請求項７又は８に記載の光ピックアップ装置。
【請求項１２】
前記第１互換光学素子と、前記第２互換光学素子と、前記回折光学素子と、光ピックアップ装置を構成する対物光学素子とから構成される集光光学系は、前記波長λ１、λ２及びλ３の光束に対してほぼ等しい光学系倍率を有するとともに、
前記第１互換機能及び前記第２互換機能は、波長差に基づく球面収差及び光情報記録媒体間の保護基板厚差に基づく球面収差を補正することを特徴とする請求項７〜１１のいずれか一項に記載の光ピックアップ装置。
【請求項１３】
前記光学系倍率がほぼ０であることを特徴とする請求項１２に記載の光ピックアップ装置。
【請求項１４】
前記第１互換光学素子と、前記第２互換光学素子と、前記回折光学素子と、光ピックアップ装置を構成する対物光学素子とから構成される集光光学系は、前記波長λ１、λ２及びλ３の光束に対して異なる光学系倍率を有するとともに、
前記第１互換機能及び前記第２互換機能は、波長差に基づく球面収差、光情報記録媒体間の保護基板厚差に基づく球面収差及び前記集光光学系の光学系倍率の差に基づく球面収差を補正することを特徴とする請求項７〜１１のいずれか一項に記載の光ピックアップ装置。
【請求項１５】
前記第１、第２及び第３光情報記録媒体上に形成される集光スポットのうち少なくとも一つの集光スポットに対し、温度補償及び／又は色収差補償を行うための光学的補正素子を有することを特徴とする請求項１〜１４のいずれか一項に記載の光ピックアップ装置。
【請求項１６】
前記波長λ１の光束により前記第１光情報記録媒体に対して形成される集光スポットの開口数をＮＡ１、前記波長λ２の光束により前記第２光情報記録媒体に対して形成される集光スポットの開口数をＮＡ２、前記波長λ３の光束により前記第３光情報記録媒体に対して形成される集光スポットの開口数をＮＡ３とした場合に、
ＮＡ３＜ＮＡ１
ＮＡ３＜ＮＡ２
を満たすことを特徴とする請求項１又は７に記載の光ピックアップ装置。
【請求項１７】
前記複数の輪帯状光学面が、前記第１互換光学素子、第２互換光学素子及び回折光学素子のうちの少なくとも一つの光学素子の少なくとも一つの光学面であって、前記第３光情報記録媒体に開口数ＮＡ３の集光スポットを形成する前記波長λ３の光束が通過する領域に形成され、
前記複数の輪帯状光学面のうち、光軸を含む輪帯状光学面をＲｓ、光軸から最も離れた輪帯状光学面をＲｌとすると、
前記輪帯状光学面Ｒｓを通過した前記波長λ１、λ２及びλ３の光束を、それぞれの光情報記録媒体の再生及び／又は記録に用い、
前記第１回折構造により生じる前記波長λ３の光束のｋ（ｋは自然数）次の回折光により前記第３光情報記録媒体に集光スポットが形成され、
前記輪帯状光学面Ｒｌを通過した前記波長λ３の光束を、前記第３光情報記録媒体の再生及び／又は記録に用いることを特徴とする請求項１６に記載の光ピックアップ装置。
【請求項１８】
前記第１回折構造が、前記回折光学素子の少なくとも一つの光学面であって前記第３光情報記録媒体に開口数ＮＡ３の集光スポットを形成する前記波長λ３の光束が通過する領域に形成され、
ｋ＝ｍ／２
３７０ｎｍ≦λ１≦４３０ｎｍ
７６０ｎｍ≦λ３≦８１０ｎｍ
を満たすことを特徴とする請求項１７に記載の光ピックアップ装置。
【請求項１９】
前記輪帯状光学面Ｒｓを通過した前記波長λ１及びλ２の光束は、それぞれの光情報記録媒体の情報記録面上にほぼ収差なく集光することを特徴とする請求項１７又は１８に記載の光ピックアップ装置。
【請求項２０】
前記輪帯状光学面と前記第１回折構造とが、前記回折光学素子の同一面に形成されることを特徴とする請求項１８又は１９に記載の光ピックアップ装置。
【請求項２１】
前記ｍ次の回折光及び前記ｎ次の回折光の回折効率は共に８０％以上であることを特徴とする請求項１７〜２０のいずれか一項に記載の光ピックアップ装置。
【請求項２２】
前記ｋ次の回折光の回折効率は４０％以上であることを特徴とする請求項１７〜２１のいずれか一項に記載の光ピックアップ装置。
【請求項２３】
前記波長λ３の光束によって前記第３光情報記録媒体に形成される集光スポットの波面収差は０．０５０[λ３ｒｍｓ]以下であることを特徴とする請求項１７〜２２のいずれか一項に記載の光ピックアップ装置。
【請求項２４】
前記波長λ３の光束によって前記第３光情報記録媒体に形成される集光スポットの波面収差が最小となる光軸方向の位置に対して、前記波長λ３の光束の近軸光線は光源側に集光することを特徴とする請求項１７〜２３のいずれか一項に記載の光ピックアップ装置。
【請求項２５】
前記波長λ１とλ２の光束が同じ発散角で又は同じ無限光として前記回折光学素子に入射し、
前記第１回折構造は、前記波長λ１とλ２との差が原因で前記第１回折構造が設けられている光学面の屈折機能により生じる球面収差と、保護基板厚ｔ１とｔ２との差により生じる球面収差とを、前記波長λ１とλ２との差による回折効果で補正することを特徴とする請求項１７〜２４のいずれか一項に記載の光ピックアップ装置。
【請求項２６】
ｍ＝２、ｎ＝１
を満たすことを特徴とする請求項１７に記載の光ピックアップ装置。
【請求項２７】
ｍ＝３、ｎ＝２
を満たすことを特徴とする請求項１７に記載の光ピックアップ装置。
【請求項２８】
前記第１回折構造が、所定の非球面形状の光学面に形成される光軸を中心とした複数の回折輪帯と、前記複数の回折輪帯のうち少なくとも一つの回折輪帯の光学面上に、この輪帯を通過する所定の光束に対して定められた光路差を付与する光路差付与構造とを備え、
前記回折輪帯の光学面は、前記光路差付与構造が無いと仮定した場合、前記波長λ１の光束のｍＢ１次回折光が最大の回折効率を有するよう回折させ、前記波長λ２の光束のｍＢ２次回折光が最大の回折効率を有するよう回折させ、前記波長λ３の光束のｍＢ３次回折光が最大の回折効率を有するよう回折させる、前記所定の非球面形状の光学面に対して実質的な傾きをもつ構造を有し、
前記光路差付与構造は、前記回折光に対して、前記波長λ１の光束のｍ次回折光が最大の回折効率を有する光路差を付与し、前記波長λ２の光束のｎ次回折光が最大の回折効率を有する光路差を付与し、前記波長λ３の光束のｋ次回折光が最大の回折効率を有する光路差を付与し、
ｍ＝ｍＢ１−ｍＤ
ｎ＝ｍＢ２−ｍＤ＋（−１、０又は１）
ｋ＝ｍＢ３−ｍＤ＋（−１、０又は１）
を満たすことを特徴とする請求項１７〜２５のいずれか一項に記載の光ピックアップ装置。
但し、ｍＤは光路差付与構造が無いと仮定した場合（回折構造のみを備えるものと仮定した場合）の各光束の回折次数を指す。
【請求項２９】
１．９×λ１≦λ３≦２．１×λ１
を満たすことを特徴とする請求項１７〜２８のいずれか一項に記載の光ピックアップ装置。
【請求項３０】
前記輪帯状光学面Ｒｓを通過した前記波長λ３の光束と、前記輪帯状光学面Ｒｌを通過した前記波長λ３の光束とが、光軸方向に１０μｍ以上離れて集光することを特徴とする請求項１８〜２９のいずれか一項に記載の光ピックアップ装置。
【請求項３１】
前記段差面の光軸方向の長さＤが、
２．０μｍ≦Ｄ≦３．０μｍ
を満たすことを特徴とする請求項１８〜３０のいずれか一項に記載の光ピックアップ装置。
【請求項３２】
前記第１回折構造が、前記輪帯状光学面Ｒｓを通過後、それぞれの光情報記録媒体に集光スポットを形成する波長λ１、λ２及びλ３の光束が通過する領域に形成され、
前記輪帯状光学面Ｒｌを通過後、集光スポットを形成する波長λ３の光束の集光位置ｆＢ３は、前記波長λ３の光束によって前記第３光情報記録媒体に形成される集光スポットの最良像面位置に対して、光軸方向において、
｜ｆＢ３｜≦５μｍ
を満たすことを特徴とする請求項１８〜２９のいずれか一項に記載の光ピックアップ装置。
【請求項３３】
前記輪帯状光学面Ｒｌを通過後、それぞれの光情報記録媒体に集光スポットを形成する波長λ１、λ２及びλ３の光束が、前記第１回折構造が形成されている光学面上において通過する領域が屈折面であることを特徴とする請求項３２に記載の光ピックアップ装置。
【請求項３４】
前記輪帯状光学面Ｒｌを通過後、それぞれの光情報記録媒体に集光スポットを形成する波長λ１、λ２及びλ３の光束が、前記第１回折構造が形成されている光学面上において通過する領域に第２回折構造が形成されていることを特徴とする請求項３２に記載の光ピックアップ装置。
【請求項３５】
前記波長λ１、λ２、λ３の光束が入射した場合に、前記第１回折構造により生じる各光束の回折光のうち最大の回折光率となる回折光の組み合わせと、前記第２回折構造により生じる各光束の回折光のうち最大の回折光率となる回折光の組み合わせとが異なることを特徴とする請求項３４に記載の光ピックアップ装置。
【請求項３６】
前記波長λ１、λ２、λ３の光束が入射した場合に、前記第２回折構造により生じる各光束の回折光のうち最大の回折光率となる回折光の組み合わせが１、１、１であることを特徴とする請求項３５に記載の光ピックアップ装置。
【請求項３７】
前記輪帯状光学面の数が２であることを特徴とする請求項３２〜３６のいずれか一項に記載の光ピックアップ装置。
【請求項３８】
保護基板厚ｔ１の第１光情報記録媒体に対して、波長λ１の第１光源から出射される光束を用いて情報の再生及び／又は記録を行ない、保護基板厚ｔ２（ｔ１≦ｔ２）の第２光情報記録媒体に対して、波長λ２（λ１＜λ２）の第２光源から出射される光束を用いて情報の再生及び／又は記録を行ない、保護基板厚ｔ３（ｔ２＜ｔ３）の第３光情報記録媒体に対して、波長λ３（λ２＜λ３）の第３光源から出射される光束を用いて情報の再生及び／又は記録を行う光ピックアップ装置に含まれる複数の光学素子であって、
前記第１光源、前記第２光源及び前記第３光源の共通光路に配置され、第１回折構造を有する回折光学素子を含み、
前記第１光情報記録媒体、前記第２光情報記録媒体及び前記第３光情報記録媒体に対して情報の再生及び／又は記録を行う場合、前記光ピックアップ装置に含まれる前記回折光学素子に全ての前記光束をほぼ同じ角度で入射させ、
前記第１光情報記録媒体に対して前記回折光学素子によって生じるｍ（ｍは自然数）次の回折光による集光スポットが形成され、前記第２光情報記録媒体に対して前記回折光学素子によって生じるｎ（ｎはｎ≠ｍである自然数）次の回折光による集光スポットが形成されるように構成されることを特徴とする光学素子。
【手続補正２】
【補正対象書類名】明細書
【補正対象項目名】００２９
【補正方法】変更
【補正の内容】
【００２９】
請求項２６記載の発明は、請求項１７に記載の光ピックアップ装置であって、ｍ＝２、ｎ＝１を満たすことを特徴とする。
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】変更
【補正の内容】
【００３１】
請求項２７記載の発明は、請求項１７に記載の光ピックアップ装置であって、ｍ＝３、ｎ＝２を満たすことを特徴とする。
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】変更
【補正の内容】
【００３３】
請求項２８記載の発明は、請求項１７〜２５のいずれか一項に記載の光ピックアップ装置であって、前記第１回折構造が、所定の非球面形状の光学面に形成される光軸を中心とした複数の回折輪帯と、前記複数の回折輪帯のうち少なくとも一つの回折輪帯の光学面上に、この輪帯を通過する所定の光束に対して定められた光路差を付与する光路差付与構造とを備え、
前記回折輪帯の光学面は、前記光路差付与構造が無いと仮定した場合、前記波長λ１の光束のｍＢ１次回折光が最大の回折効率を有するよう回折させ、前記波長λ２の光束のｍＢ２次回折光が最大の回折効率を有するよう回折させ、前記波長λ３の光束のｍＢ３次回折光が最大の回折効率を有するよう回折させる、前記所定の非球面形状の光学面に対して実質的な傾きをもつ構造を有し、
前記光路差付与構造は、前記回折光に対して、前記波長λ１の光束のｍ次回折光が最大の回折効率を有する光路差を付与し、前記波長λ２の光束のｎ次回折光が最大の回折効率を有する光路差を付与し、前記波長λ３の光束のｋ次回折光が最大の回折効率を有する光路差を付与し、
ｍ＝ｍＢ１−ｍＤ
ｎ＝ｍＢ２−ｍＤ＋（−１、０又は１）
ｋ＝ｍＢ３−ｍＤ＋（−１、０又は１）
を満たすことを特徴とする。
但し、ｍＤは光路差付与構造が無いと仮定した場合（回折構造のみを備えるものと仮定した場合）の各光束の回折次数を指す。 
【手続補正７】
【補正対象書類名】明細書
【補正対象項目名】００３４
【補正方法】変更
【補正の内容】
【００３４】
請求項２９記載の発明は、請求項１７〜２８のいずれか一項に記載の光ピックアップ装置であって、１．９×λ１≦λ３≦２．１×λ１を満たすことを特徴とする。
請求項３０記載の発明は、請求項１８〜２９のいずれか一項に記載の光ピックアップ装置であって、前記輪帯状光学面Ｒｓを通過した前記波長λ３の光束と、前記輪帯状光学面Ｒｌを通過した前記波長λ３の光束とが、光軸方向に１０μｍ以上離れて集光することを特徴とする。
【手続補正８】
【補正対象書類名】明細書
【補正対象項目名】００３５
【補正方法】変更
【補正の内容】
【００３５】
請求項３１記載の発明は、請求項１８〜３０のいずれか一項に記載の光ピックアップ装置であって、前記段差面の光軸方向の長さＤが、２．０μｍ≦Ｄ≦３．０μｍを満たすことを特徴とする。
【手続補正９】
【補正対象書類名】明細書
【補正対象項目名】００３６
【補正方法】削除
【補正の内容】
【手続補正１０】
【補正対象書類名】明細書
【補正対象項目名】００３７
【補正方法】削除
【補正の内容】
【手続補正１１】
【補正対象書類名】明細書
【補正対象項目名】００３８
【補正方法】削除
【補正の内容】
【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】削除
【補正の内容】
【手続補正１４】
【補正対象書類名】明細書
【補正対象項目名】００４１
【補正方法】変更
【補正の内容】
【００４１】
請求項３２記載の発明は、請求項１８〜２９のいずれか一項に記載の光ピックアップ装置であって、前記第１回折構造が、前記輪帯状光学面Ｒｓを通過後、それぞれの光情報記録媒体に集光スポットを形成する波長λ１、λ２及びλ３の光束が通過する領域に形成され、
前記輪帯状光学面Ｒｌを通過後、集光スポットを形成する波長λ３の光束の集光位置ｆＢ３は、前記波長λ３の光束によって前記第３光情報記録媒体に形成される集光スポットの最良像面位置に対して、光軸方向において、
｜ｆＢ３｜≦５μｍを満たすことを特徴とする。
【手続補正１５】
【補正対象書類名】明細書
【補正対象項目名】００４２
【補正方法】変更
【補正の内容】
【００４２】
請求項３３記載の発明は、請求項３２に記載の光ピックアップ装置であって、前記輪帯状光学面Ｒｌを通過後、それぞれの光情報記録媒体に集光スポットを形成する波長λ１、λ２及びλ３の光束が、前記第１回折構造が形成されている光学面上において通過する領域が屈折面であることを特徴とする。
請求項３４記載の発明は、請求項３２に記載の光ピックアップ装置であって、前記輪帯状光学面Ｒｌを通過後、それぞれの光情報記録媒体に集光スポットを形成する波長λ１、λ２及びλ３の光束が、前記第１回折構造が形成されている光学面上において通過する領域に第２回折構造が形成されていることを特徴とする。
【手続補正１６】
【補正対象書類名】明細書
【補正対象項目名】００４３
【補正方法】変更
【補正の内容】
【００４３】
請求項３５記載の発明は、請求項３４に記載の光ピックアップ装置であって、前記波長λ１、λ２、λ３の光束が入射した場合に、前記第１回折構造により生じる各光束の回折光のうち最大の回折光率となる回折光の組み合わせと、前記第２回折構造により生じる各光束の回折光のうち最大の回折光率となる回折光の組み合わせとが異なることを特徴とする。
請求項３６記載の発明は、請求項３５に記載の光ピックアップ装置であって、前記波長λ１、λ２、λ３の光束が入射した場合に、前記第２回折構造により生じる各光束の回折光のうち最大の回折光率となる回折光の組み合わせが１、１、１であることを特徴とする。
【手続補正１７】
【補正対象書類名】明細書
【補正対象項目名】００４４
【補正方法】削除
【補正の内容】
【手続補正１８】
【補正対象書類名】明細書
【補正対象項目名】００４５
【補正方法】変更
【補正の内容】
【００４５】
請求項３７記載の発明は、請求項３２〜３６のいずれか一項に記載の光ピックアップ装置であって、前記輪帯状光学面の数が２であることを特徴とする。
【手続補正１９】
【補正対象書類名】明細書
【補正対象項目名】００４６
【補正方法】変更
【補正の内容】
【００４６】
請求項３８記載の発明は、保護基板厚ｔ１の第１光情報記録媒体に対して、波長λ１の第１光源から出射される光束を用いて情報の再生及び／又は記録を行ない、保護基板厚ｔ２（ｔ１≦ｔ２）の第２光情報記録媒体に対して、波長λ２（λ１＜λ２）の第２光源から出射される光束を用いて情報の再生及び／又は記録を行ない、保護基板厚ｔ３（ｔ２＜ｔ３）の第３光情報記録媒体に対して、波長λ３（λ２＜λ３）の第３光源から出射される光束を用いて情報の再生及び／又は記録を行う光ピックアップ装置に含まれる複数の光学素子であって、
前記第１光源、前記第２光源及び前記第３光源の共通光路に配置され、第１回折構造を有する回折光学素子を含み、
前記第１光情報記録媒体、前記第２光情報記録媒体及び前記第３光情報記録媒体に対して情報の再生及び／又は記録を行う場合、前記光ピックアップ装置に含まれる前記回折光学素子に全ての前記光束をほぼ同じ角度で入射させ、
前記第１光情報記録媒体に対して前記回折光学素子によって生じるｍ（ｍは自然数）次の回折光による集光スポットが形成され、前記第２光情報記録媒体に対して前記回折光学素子によって生じるｎ（ｎはｎ≠ｍである自然数）次の回折光による集光スポットが形成されるように構成されることを特徴とする光学素子。
【手続補正２０】
【補正対象書類名】明細書
【補正対象項目名】００４７
【補正方法】削除
【補正の内容】
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】００５０
【補正方法】削除
【補正の内容】
【手続補正２４】
【補正対象書類名】明細書
【補正対象項目名】００５１
【補正方法】削除
【補正の内容】
【手続補正２５】
【補正対象書類名】明細書
【補正対象項目名】００５２
【補正方法】削除
【補正の内容】
【手続補正２６】
【補正対象書類名】明細書
【補正対象項目名】００５３
【補正方法】削除
【補正の内容】
【手続補正２７】
【補正対象書類名】明細書
【補正対象項目名】００５４
【補正方法】削除
【補正の内容】
【手続補正２８】
【補正対象書類名】明細書
【補正対象項目名】００５５
【補正方法】削除
【補正の内容】
【手続補正２９】
【補正対象書類名】明細書
【補正対象項目名】００５６
【補正方法】削除
【補正の内容】
【手続補正３０】
【補正対象書類名】明細書
【補正対象項目名】００５７
【補正方法】削除
【補正の内容】
【手続補正３１】
【補正対象書類名】明細書
【補正対象項目名】００５８
【補正方法】削除
【補正の内容】
【手続補正３２】
【補正対象書類名】明細書
【補正対象項目名】００５９
【補正方法】削除
【補正の内容】
【手続補正３３】
【補正対象書類名】明細書
【補正対象項目名】００６０
【補正方法】削除
【補正の内容】
【手続補正３４】
【補正対象書類名】明細書
【補正対象項目名】００６１
【補正方法】削除
【補正の内容】
【手続補正３５】
【補正対象書類名】明細書
【補正対象項目名】００６２
【補正方法】削除
【補正の内容】
【手続補正３６】
【補正対象書類名】明細書
【補正対象項目名】００６３
【補正方法】削除
【補正の内容】
【手続補正３７】
【補正対象書類名】明細書
【補正対象項目名】００６４
【補正方法】削除
【補正の内容】
【手続補正３８】
【補正対象書類名】明細書
【補正対象項目名】００６５
【補正方法】削除
【補正の内容】
【手続補正３９】
【補正対象書類名】明細書
【補正対象項目名】００６６
【補正方法】削除
【補正の内容】
【手続補正４０】
【補正対象書類名】明細書
【補正対象項目名】００６７
【補正方法】削除
【補正の内容】
【手続補正４１】
【補正対象書類名】明細書
【補正対象項目名】００６８
【補正方法】削除
【補正の内容】
【手続補正４２】
【補正対象書類名】明細書
【補正対象項目名】００６９
【補正方法】削除
【補正の内容】